(57)【要約】      （修正有）【課題】地震時などにおいて躯体が前後左右方向に揺れ動いても、通路の床面や壁面に隙間が生じるのを確実に防止し、通路機能が維持されることを可能とする躯体間連絡通路の目地装置を提供する。【解決手段】一方の躯体の通路の床面に沿って躯体外壁面まで延びる床スライドレール９を設けて床パネル３の一端部を床スライドレール９に移動可能に支持し、側壁パネル４の一端部は床パネル３の一端部まで延び、側壁パネル４の一端部には袖パネル５が一方の躯体の躯体外壁面と近接するよう設け、さらに、一方の躯体の通路の天井面に沿って躯体外壁面まで延びる天井スライドレール１０を設けて天井スライドレール１０に前記袖パネル５を付設した側壁パネル４の一端部を吊下げ支持し、床パネル３と袖パネル５を付設した側壁パネル４とが一体となって天井スライドレール１０および床スライドレール９に沿って一方の躯体の躯体外壁面と平行に移動可能に支持されてなる。【選択図】図１
2018017084.tif 000002
【特許請求の範囲】
【請求項１】
間隙を介して隣接する躯体間を連絡する通路の目地装置であり、間隙を覆う床パネルと床パネルの両側に袖パネルを付設した伸縮可能な側壁パネルを有するものにおいて、床パネルは伸縮可能に形成され、床パネルの一端部は一方の躯体の通路の床面に沿って設けられ躯体外壁面まで延びる床スライドレールに移動可能に支持されるとともに他端部側は他方の躯体に取り付けられ、側壁パネルの一端部は前記床パネルの一端部まで延び、側壁パネルの一端部には袖パネルが一方の躯体の躯体外壁面と近接するよう設けられ、該袖パネルを付設した側壁パネルは他方の躯体に取り付けられ、さらに、一方の躯体の通路の天井面に沿って躯体外壁面まで延びる天井スライドレールを設け、天井スライドレールに前記袖パネルを付設した側壁パネルの一端部を吊下げ支持し、床パネルと袖パネルを付設した側壁パネルとが一体となって天井スライドレールおよび床スライドレールに沿って一方の躯体の躯体外壁面と平行に移動可能に支持されてなり、躯体が前後左右方向に揺れ動いても通路の床面や壁面に隙間が生じるのを防止して通路機能が維持されるよう構成したことを特徴とする躯体間連絡通路の目地装置。
【請求項２】
前記天井スライドレールに側壁パネルの一端部を吊下げ支持し、床パネルと袖パネルを付設した側壁パネルとが一体となって天井スライドレールおよび床スライドレールに沿って一方の躯体の躯体外壁面と平行に移動可能に支持されるとともに、天井スライドレールが側壁パネルの一端部を吊下げ支持する部位に天井スライドレールと直交させて側壁パネル用天井スライドレールを設け、前記袖パネルを付設した側壁パネルの一端部以外の個所を吊下げ支持するよう構成したことを特徴とする請求項１に記載の躯体間連絡通路の目地装置。
【発明の詳細な説明】
【技術分野】
【０００１】
本発明は、躯体間連絡通路の目地装置、詳しくは、間隙を介して隣接する躯体間を連絡する通路に適用され、地震などのより躯体が前後左右方向に揺れ動いても通路の床面や壁面に隙間が生じるのを防止して通路機能が維持されるようにした躯体間連絡通路の目地装置に関する。
【背景技術】
【０００２】
従来、間隙を介して前後に隣接する躯体間を連絡する通路の目地装置については、間隙を覆う床パネルと床パネルの両側に側壁パネルを設け、床パネルの一端部を一方の躯体の通路の床面に沿って設けられ躯体の外壁面まで延びる床スライドレールに移動可能に支持して、床パネルの一端部まで延び袖パネルを一方の躯体の躯体側面と近接するよう設けた側壁パネルと共に一方の躯体の外壁面と平行に左右方向に移動可能とし、側壁パネルを前後に伸縮可能に形成して、地震などにより前後に隣接する躯体が互いに接近したり離れたりする方向（以下、前後方向）や左右にずれ動く方向（以下、左右方向）に揺れ動いても、通路の床面や壁面に隙間が生じるのを防止して、通路機能が維持されるよう構成した躯体間連絡通路の目地装置が提案されている。
【０００３】
このような目地装置においては、地震などにより前後左右方向に大きく揺れ動くような非常時に、床パネルや側壁パネルが円滑に可動して、連絡通路からの緊急脱出を迅速且つ安全に行わせるようにすることが重要であり、前後方向の揺れ、左右方向の揺れあるいはさらに複雑な方向の揺れに対しても通路の床面や壁面に隙間が生じるのを防止し、通路機能を維持して危険な状態をつくりだすのを避けなければならない。
【先行技術文献】
【特許文献】
【０００４】
【特許文献１】特開２０１０−２４２３１１号公報
【発明の概要】
【発明が解決しようとする課題】
【０００５】
本発明は、上記従来の構造による躯体間連絡通路の目地装置における床パネル、側壁パネルの可動性についてさらに試験、検討を行った結果としてなされたものであり、その目的は、上記従来の構造による目地装置をさらに改良し、地震時などにおいて躯体が前後左右方向や複雑な方向に揺れ動いても、床パネル、側壁パネルがガタ付くなどの支障を生じることなく円滑にスライド移動して通路の床面や壁面に隙間が生じるのを確実に防止し、通路機能が維持されることを可能とする躯体間連絡通路の目地装置を提供することにある。
【課題を解決するための手段】
【０００６】
上記の目的を達成するための請求項１による躯体間連絡通路の目地装置は、間隙を介して隣接する躯体間を連絡する通路の目地装置であり、間隙を覆う床パネルと床パネルの両側に袖パネルを付設した伸縮可能な側壁パネルを有するものにおいて、床パネルは伸縮可能に形成され、床パネルの一端部は一方の躯体の通路の床面に沿って設けられ躯体外壁面まで延びる床スライドレールに移動可能に支持されるとともに他端部側は他方の躯体に取り付けられ、側壁パネルの一端部は前記床パネルの一端部まで延び、側壁パネルの一端部には袖パネルが一方の躯体の躯体外壁面と近接するよう設けられ、該袖パネルを付設した側壁パネルは他方の躯体に取り付けられ、さらに、一方の躯体の通路の天井面に沿って躯体外壁面まで延びる天井スライドレールを設け、天井スライドレールに前記袖パネルを付設した側壁パネルの一端部を吊下げ支持し、床パネルと袖パネルを付設した側壁パネルとが一体となって天井スライドレールおよび床スライドレールに沿って一方の躯体の躯体外壁面と平行に移動可能に支持されてなり、躯体が前後左右方向に揺れ動いても通路の床面や壁面に隙間が生じるのを防止して通路機能が維持されるよう構成したことを特徴とする。
【０００７】
請求項２による躯体間連絡通路の目地装置は、請求項１において、前記天井スライドレールに側壁パネルの一端部を吊下げ支持し、床パネルと袖パネルを付設した側壁パネルとが一体となって天井スライドレールおよび床スライドレールに沿って一方の躯体の躯体壁面と平行に移動可能に支持されるとともに、天井スライドレールが側壁パネルの一端部を吊下げ支持する部位に天井スライドレールと直交させて側壁パネル用天井スライドレールを設け、前記袖パネルを付設した側壁パネルの一端部以外の個所を吊下げ支持するよう構成したことを特徴とする。
【発明の効果】
【０００８】
本発明の躯体間連絡通路の目地装置によれば、地震時などにおいて躯体が前後左右方向や複雑な方向に揺れ動いても、床パネル、側壁パネルがガタ付くなどの支障を生じることなく円滑にスライド移動して通路の床面や壁面に隙間が生じるのを確実に防止し、通路機能が維持されることができる。
【図面の簡単な説明】
【０００９】
【図１】通常状態における本願発明の目地装置を示すものであり、（Ａ−１）は一方の躯体の通路を正面からみた図、（Ｂ―１）は間隙を覆う床パネルの一方の躯体側における平面図である。
【図２】図１に示す通常状態における本願発明の目地装置について、一方の躯体が左方向（矢印で示す）に揺れ動いた場合における作動形態を示すものであり、（Ａ−２）は一方の躯体の通路を正面からみた図、（Ｂ―２）は間隙を覆う床パネルの一方の躯体側における平面図である。
【図３】図１に示す通常状態における本願発明の目地装置について、一方の躯体が右方向（矢印で示す）に揺れ動いた場合における作動形態を示すものであり、（Ａ−３）は一方の躯体の通路を正面からみた図、（Ｂ―３）は間隙を覆う床パネルの一方の躯体側における平面図である。
【図４】通常状態における本願発明の目地装置の床パネルと側壁パネルを示すものであり、（Ａ−１）は床パネルの両側に設けられる袖パネルを付設した側壁パネルの一方のみを示す斜視図、（Ｂ―１）は躯体間の間隙を覆う床パネルの斜視図である。
【図５】図４に示す通常状態における本願発明の目地装置の床パネルと側壁パネルについて、躯体が互いに離れる方向（矢印で示す）に揺れ動いた場合における作動形態を示すものであり、（Ａ−２）は床パネルの両側に設けられる袖パネルを付設した側壁パネルの一方のみを示す斜視図、（Ｂ―２）は躯体間の間隙を覆う床パネルの斜視図である。
【図６】図４に示す通常状態における本願発明の目地装置の床パネルと側壁パネルについて、躯体が互いに接近する方向（矢印で示す）に揺れ動いた場合における作動形態を示すものであり、（Ａ−３）は床パネルの両側に設けられる袖パネルを付設した側壁パネルの一方のみを示す斜視図、（Ｂ―３）は躯体間の間隙を覆う床パネルの斜視図である。
【発明を実施するための形態】
【００１０】
以下、図面により本発明に係る躯体間連絡通路の目地装置について説明する。本発明に係る躯体間連絡通路の目地装置は、間隙を介して隣接する躯体間を連絡する通路の目地装置であり、図１（Ａ―１）、（Ｂ―１）に示すように、目地装置１は、躯体２Ａ、２Ｂの間隙を覆う床パネル３と床パネル３の両側に袖パネル５、５を付設した伸縮可能な側壁パネル４、４を有する。
【００１１】
床パネル３は後述するように伸縮可能に形成されており、床パネル３の一端部３Ａは一方の躯体２Ａの通路７の床面に沿って設けられ躯体２の外壁面８まで延びる床スライドレール９に沿って移動可能に支持され、床パネル３の他端部３Ｂは他方の躯体２に取り付けられている。側壁パネル４、４の一端部４Ａ、４Ａは床パネル３の一端部３Ａまで延び、側壁パネル４、４の一端部４Ａ、４Ａには袖パネル５、５が一方の躯体２Ａの外壁面８と近接するよう設けられ、袖パネル５、５の下端部５Ａは床スライドレール９に沿って移動可能に支持されており、袖パネル５、５を付設した側壁パネル４、４の他端部側４Ｂ、４Ｂは他方の躯体２Ｂに取り付けられている。
【００１２】
床パネル３の一端部３Ａおよび袖パネル５、５の下端部５Ａを床スライドレール８に移動可能に支持する手法としては、例えば、図示するように、床パネル３の一端部３Ａと袖パネル５、５の下端部５Ａを、床スライドレール８にローラを介してスライド移動可能に設けた移動根太６に固定するなどの公知の手法が適用される。また、袖パネル５、５のスライド移動をより円滑に行わせるために、袖パネル５、５の下端部５Ａを床スライドレール８に沿って移動させるだけでなく、特に図示しないが、一方の躯体２Ａの外壁面７にも袖パネル用スライドレールを配設し、袖パネル用スライドレールに対応する袖パネルの部位を袖パネル用スライドレールに嵌合してスライド移動できるよう構成して、袖パネル５、５を床スライドレール８および袖パネル用スライドレール（図示せず）に沿ってスライド移動させるようにしてもよい。
【００１３】
さらに、一方の躯体２Ａの通路７の天井面に沿って躯体２Ａの外壁面８まで延びる天井スライドレール１０を設け、天井スライドレール１０に袖パネル５、５を付設した側壁パネル４、４の一端部４Ａ、４Ａの上端部を吊下げ装置１１、１１により吊下げ支持し、袖パネル５、５を付設した側壁パネル４、４が天井スライドレール１０に沿って移動できるようにする。吊下げ装置１１としてはローラ方式、スライド方式など適宜の方式を採用することができる。図１〜図６において、１２は天井吊下げ部を指し示すものである。
【００１４】
上記のように構成された本発明の目地装置１は、躯体２Ａ、２Ｂが地震などで左右方向に揺れ動いた場合、躯体２Ａが矢印で示す左方向に動いた時は、図２（Ａ―２）、（Ｂ―２）に示すように、床パネル３と袖パネル５、５を付設した側壁パネル４、４とが一体となって天井スライドレール１０および床スライドレール９に沿って躯体２Ａの外壁面８と平行に相対的に右方向に移動して揺れを吸収する。
【００１５】
躯体２Ａが矢印で示す右方向に動いた時は、図３（Ａ―３）、（Ｂ―３）に示すように、床パネル３と袖パネル５、５を付設した側壁パネル４、４とが一体となって天井スライドレール１０および床スライドレール９に沿って躯体２Ａの外壁面８と平行に相対的に左方向に移動して揺れを吸収する。
【００１６】
左右方向への揺れによって、躯体２Ａ、２Ｂ間を連絡する通路６と床パネル３にずれが生じるため、通路６に隙間が生じるが、図２（Ａ―２）、（Ｂ―２）、図３（Ａ―３）、（Ｂ―３）に示すように、袖パネル５、５を付設した側壁パネル４、４が天井スライドレール１０および床スライドレール９に沿って躯体２Ａの外壁面８と平行に移動して、袖パネル５が通路の隙間を閉鎖するので、安全な通路機能が維持される。
【００１７】
本発明においては、床パネル３と袖パネル５、５を付設した側壁パネル４、４が床スライドレール１０に支持されてスライド移動するだけでなく、天井スライドレール１０に袖パネル５、５を付設した側壁パネル４、４の一端部４Ａ、４Ａの上端部を吊下げ装置１１、１１により吊下げ支持し、袖パネル５、５を付設した側壁パネル４、４が天井スライドレール１０に沿って移動できるよう構成したので、床スライドレール９にかかる負荷を分散、軽減することができ、袖パネル５、５を付設した側壁パネル４、４の移動、さらには床パネル３の移動をガタ付くなどの支障を生じることなく円滑に行うことが可能となる。一方の躯体２Ａの外壁面７に袖パネル用スライドレールを配設し、袖パネル５、５を床スライドレール８および袖パネル用スライドレールに沿ってスライド移動させるよう構成した場合には、袖パネル用スライドレールにかかる負荷を分散、軽減することもでき、袖パネル５、５を付設した側壁パネル４、４の移動をさらに円滑に行うことができる。
【００１８】
図４〜６は、前後に隣接する躯体２Ａ、２Ｂが互いに接近したり離れたりする前後方向に揺れた場合における本願発明の目地装置１の床パネル３と側壁パネル４の作動形態を示すものであり、側壁パネル４は片側のみを示す。
【００１９】
側壁パネル４は、図４（Ａ−１）、図５（Ａ−２）、図６（Ａ−３）に示すように、躯体２Ｂに固定された固定側壁パネル４Ｆと可動側壁パネル４Ｍからなり、可動側壁パネル４Ｍは固定側壁パネル４Ｆに沿ってスライド移動できるよう構成されている。側壁パネル４の一端部４Ａには袖パネル５が付設され、側壁パネル４の一端部４Ａの上端部４Ｈは天井吊下げ部１２において吊下げ装置１１により吊下げ支持される。
【００２０】
床パネル３は、図４（Ｂ―１）、図５（Ｂ―２）、図６（Ｂ―２）に示すように、躯体２Ｂに固定された固定床パネル３Ｆと可動床パネル３Ｍからなり、可動床パネル３Ｍは固定床パネル３Ｆに沿ってスライド移動できるよう構成されている。床パネル３の一端部３Ａは、前記のように、床スライドレール９に移動可能に支持されている。
【００２１】
前後に隣接する躯体２Ａ、２Ｂが地震などで前後方向に揺れ動いた場合、躯体２Ａ、２Ｂが互いに離れる方向に動いた時は、図５（Ａ―２）に示すように、可動側壁パネル４Ｍが矢印方向にスライド移動することにより側壁パネル３が伸長するとともに、図５（Ｂ―２）に示すように、可動床パネル３Ｍが矢印方向にスライド移動することにより床パネル３が伸長し、揺れを吸収して躯体間の拡張する隙間をカバーする。
【００２２】
躯体２Ａ、２Ｂが互いに接近する方向に動いた時は、図６（Ａ―３）に示すように、可動側壁パネル４Ｍが矢印方向にスライド移動することにより側壁パネル３が短縮し、また、可動床パネル３Ｍが図５（Ｂ―２）に示す矢印方向にスライド移動することにより図６（Ｂ―３）に示すように可動床パネル３Ｍが固定床パネル３Ｆに収納され、床パネル３が短縮して揺れを吸収し、狭くなった躯体間の隙間に対応する。
【００２３】
本願発明の目地装置においては、特に図示しないが、天井スライドレール１０、１０が側壁パネル４、４の一端部４Ａ、４Ａの上端部４Ｈ、４Ｈを吊下げ支持する部位に天井スライドレール１０、１０と直交させて側壁パネル用天井スライドレールを設け、袖パネルを付設した側壁パネル４、４の上端部４Ｈ、４Ｈ以外の個所も吊下げ支持するよう構成すれば、固定側壁パネル４Ｆに対する可動側壁パネル４Ｍのスライド移動をさらに円滑に行うことができる。
【符号の説明】
【００２４】
１    本発明に係る躯体間通路の目地装置
２Ａ、２Ｂ    躯体
３    床パネル
３Ａ  床パネルの一端部
３Ｂ  床パネルの他端部
３Ｆ  可動床パネル
３Ｍ  固定床パネル
４    側壁パネル
４Ａ  側壁パネルの一端部
４Ｂ  側壁パネルの他端部側の固定部
４Ｆ  可動側壁パネル
４Ｍ  固定側壁パネル
４Ｈ  側壁パネルの一端部の上端部
５    袖パネル
５Ａ  袖パネルの下端部
６    移動根太
７    一方の躯体２Ａの通路
８    一方の躯体２Ａの外壁面
９    床スライドレール
１０    天井スライドレール
１１  吊下げ装置
１２  天井吊下げ部
【図１】
2018017084.tif 000003
【図２】
2018017084.tif 000004
【図３】
2018017084.tif 000005
【図４】
2018017084.tif 000006
【図５】
2018017084.tif 000007
【図６】
2018017084.tif 000008
【手続補正書】
【提出日】平成29年9月25日(2017.9.25)
【手続補正１】
【補正対象書類名】特許請求の範囲
【補正対象項目名】全文
【補正方法】変更
【補正の内容】
【特許請求の範囲】
【請求項１】
間隙を介して隣接する躯体間を連絡する通路の目地装置であり、間隙を覆う床パネルと床パネルの両側に袖パネルを付設した伸縮可能な側壁パネルを有するものにおいて、床パネルは伸縮可能に形成され、床パネルの一端部は一方の躯体の通路の床面に沿って設けられ躯体外壁面まで延びる床スライドレールに移動可能に支持されるとともに他端部側は他方の躯体に取り付けられ、側壁パネルの一端部は前記床パネルの一端部まで延び、側壁パネルの一端部には袖パネルが一方の躯体の躯体外壁面と近接するよう設けられ、該袖パネルを付設した側壁パネルは他方の躯体に取り付けられ、さらに、一方の躯体の通路の天井面に沿って躯体外壁面まで延びる天井スライドレールを設け、天井スライドレールに前記袖パネルを付設した側壁パネルの一端部を吊下げ支持し、床パネルと袖パネルを付設した側壁パネルとが一体となって天井スライドレールおよび床スライドレールに沿って一方の躯体の躯体外壁面と平行に移動可能に支持されるとともに、天井スライドレールが側壁パネルの一端部を吊下げ支持する部位に天井スライドレールと直交させて側壁パネル用天井スライドレールを設け、前記袖パネルを付設した側壁パネルの一端部以外の個所を吊下げ支持してなり、側壁パネルの移動、さらには床パネルの移動を円滑に行うことを可能とすることにより、躯体が前後左右方向に揺れ動いても通路の床面や壁面に隙間が生じるのを防止して通路機能が維持されるよう構成したことを特徴とする躯体間連絡通路の目地装置。
【手続補正２】
【補正対象書類名】明細書
【補正対象項目名】０００１
【補正方法】変更
【補正の内容】
【０００１】
本発明は、躯体間連絡通路の目地装置、詳しくは、間隙を介して隣接する躯体間を連絡する通路に適用され、地震などにより躯体が前後左右方向に揺れ動いても通路の床面や壁面に隙間が生じるのを防止して通路機能が維持されるようにした躯体間連絡通路の目地装置に関する。
【手続補正３】
【補正対象書類名】明細書
【補正対象項目名】０００６
【補正方法】変更
【補正の内容】
【０００６】
上記の目的を達成するための請求項１による躯体間連絡通路の目地装置は、間隙を介して隣接する躯体間を連絡する通路の目地装置であり、間隙を覆う床パネルと床パネルの両側に袖パネルを付設した伸縮可能な側壁パネルを有するものにおいて、床パネルは伸縮可能に形成され、床パネルの一端部は一方の躯体の通路の床面に沿って設けられ躯体外壁面まで延びる床スライドレールに移動可能に支持されるとともに他端部側は他方の躯体に取り付けられ、側壁パネルの一端部は前記床パネルの一端部まで延び、側壁パネルの一端部には袖パネルが一方の躯体の躯体外壁面と近接するよう設けられ、該袖パネルを付設した側壁パネルは他方の躯体に取り付けられ、さらに、一方の躯体の通路の天井面に沿って躯体外壁面まで延びる天井スライドレールを設け、天井スライドレールに前記袖パネルを付設した側壁パネルの一端部を吊下げ支持し、床パネルと袖パネルを付設した側壁パネルとが一体となって天井スライドレールおよび床スライドレールに沿って一方の躯体の躯体外壁面と平行に移動可能に支持されるとともに、天井スライドレールが側壁パネルの一端部を吊下げ支持する部位に天井スライドレールと直交させて側壁パネル用天井スライドレールを設け、前記袖パネルを付設した側壁パネルの一端部以外の個所を吊下げ支持してなり、側壁パネルの移動、さらには床パネルの移動を円滑に行うことを可能とすることにより、躯体が前後左右方向に揺れ動いても通路の床面や壁面に隙間が生じるのを防止して通路機能が維持されるよう構成したことを特徴とする。
【手続補正４】
【補正対象書類名】明細書
【補正対象項目名】０００７
【補正方法】削除
【補正の内容】
【手続補正５】
【補正対象書類名】明細書
【補正対象項目名】００１１
【補正方法】変更
【補正の内容】
【００１１】
床パネル３は後述するように伸縮可能に形成されており、床パネル３の一端部３Ａは一方の躯体２Ａの通路７の床面に沿って設けられ躯体２Ａの外壁面８まで延びる床スライドレール９に沿って移動可能に支持され、床パネル３の他端部３Ｂは他方の躯体２Ｂに取り付けられている。側壁パネル４、４の一端部４Ａ、４Ａは床パネル３の一端部３Ａまで延び、側壁パネル４、４の一端部４Ａ、４Ａには袖パネル５、５が一方の躯体２Ａの外壁面８と近接するよう設けられ、袖パネル５、５の下端部５Ａは床スライドレール９に沿って移動可能に支持されており、袖パネル５、５を付設した側壁パネル４、４の他端部側４Ｂ、４Ｂは他方の躯体２Ｂに取り付けられている。
【手続補正６】
【補正対象書類名】明細書
【補正対象項目名】００１２
【補正方法】変更
【補正の内容】
【００１２】
床パネル３の一端部３Ａおよび袖パネル５、５の下端部５Ａを床スライドレール９に移動可能に支持する手法としては、例えば、図示するように、床パネル３の一端部３Ａと袖パネル５、５の下端部５Ａを、床スライドレール９にローラを介してスライド移動可能に設けた移動根太６に固定するなどの公知の手法が適用される。また、袖パネル５、５のスライド移動をより円滑に行わせるために、袖パネル５、５の下端部５Ａを床スライドレール９に沿って移動させるだけでなく、特に図示しないが、一方の躯体２Ａの外壁面８にも袖パネル用スライドレールを配設し、袖パネル用スライドレールに対応する袖パネルの部位を袖パネル用スライドレールに嵌合してスライド移動できるよう構成して、袖パネル５、５を床スライドレール９および袖パネル用スライドレール（図示せず）に沿ってスライド移動させるようにしてもよい。
【手続補正７】
【補正対象書類名】明細書
【補正対象項目名】００１３
【補正方法】変更
【補正の内容】
【００１３】
さらに、一方の躯体２Ａの通路７の天井面に沿って躯体２Ａの外壁面８まで延びる天井スライドレール１０を設け、天井スライドレール１０に袖パネル５、５を付設した側壁パネル４、４の一端部４Ａ、４Ａの上端部４Ｈを吊下げ装置１１、１１により吊下げ支持し、袖パネル５、５を付設した側壁パネル４、４が天井スライドレール１０に沿って移動できるようにする。吊下げ装置１１としてはローラ方式、スライド方式など適宜の方式を採用することができる。図１〜図６において、１２は天井吊下げ部を指し示すものである。
【手続補正８】
【補正対象書類名】明細書
【補正対象項目名】００１６
【補正方法】変更
【補正の内容】
【００１６】
左右方向への揺れによって、躯体２Ａ、２Ｂ間を連絡する通路７と床パネル３にずれが生じるため、通路６に隙間が生じるが、図２（Ａ―２）、（Ｂ―２）、図３（Ａ―３）、（Ｂ―３）に示すように、袖パネル５、５を付設した側壁パネル４、４が天井スライドレール１０および床スライドレール９に沿って躯体２Ａの外壁面８と平行に移動して、袖パネル５が通路の隙間を閉鎖するので、安全な通路機能が維持される。
【手続補正９】
【補正対象書類名】明細書
【補正対象項目名】００１７
【補正方法】変更
【補正の内容】
【００１７】
本発明においては、床パネル３と袖パネル５、５を付設した側壁パネル４、４が床スライドレール９に支持されてスライド移動するだけでなく、天井スライドレール１０に袖パネル５、５を付設した側壁パネル４、４の一端部４Ａ、４Ａの上端部を吊下げ装置１１、１１により吊下げ支持し、袖パネル５、５を付設した側壁パネル４、４が天井スライドレール１０に沿って移動できるよう構成したので、床スライドレール９にかかる負荷を分散、軽減することができ、袖パネル５、５を付設した側壁パネル４、４の移動、さらには床パネル３の移動をガタ付くなどの支障を生じることなく円滑に行うことが可能となる。一方の躯体２Ａの外壁面８に袖パネル用スライドレールを配設し、袖パネル５、５を床スライドレール９および袖パネル用スライドレールに沿ってスライド移動させるよう構成した場合には、袖パネル用スライドレールにかかる負荷を分散、軽減することもでき、袖パネル５、５を付設した側壁パネル４、４の移動をさらに円滑に行うことができる。
【手続補正１０】
【補正対象書類名】明細書
【補正対象項目名】００１９
【補正方法】変更
【補正の内容】
【００１９】
側壁パネル４は、図４（Ａ−１）、図５（Ａ−２）、図６（Ａ−３）に示すように、躯体２Ｂに固定された固定側壁パネル４Ｍと可動側壁パネル４Ｆからなり、可動側壁パネル４Ｆは固定側壁パネル４Ｍに沿ってスライド移動できるよう構成されている。側壁パネル４の一端部４Ａには袖パネル５が付設され、側壁パネル４の一端部４Ａの上端部４Ｈは天井吊下げ部１２において吊下げ装置１１により吊下げ支持される。
ル５、５を付設した側壁パネル４、４の移動をさらに円滑に行うことができる。
【手続補正１１】
【補正対象書類名】明細書
【補正対象項目名】００２０
【補正方法】変更
【補正の内容】
【００２０】
床パネル３は、図４（Ｂ―１）、図５（Ｂ―２）、図６（Ｂ―２）に示すように、躯体２Ｂに固定された固定床パネル３Ｍと可動床パネル３Ｆからなり、可動床パネル３Ｆは固定床パネル３Ｍに沿ってスライド移動できるよう構成されている。床パネル３の一端部３Ａは、前記のように、床スライドレール９に移動可能に支持されている。
ル５、５を付設した側壁パネル４、４の移動をさらに円滑に行うことができる。
【手続補正１２】
【補正対象書類名】明細書
【補正対象項目名】００２１
【補正方法】変更
【補正の内容】
【００２１】
前後に隣接する躯体２Ａ、２Ｂが地震などで前後方向に揺れ動いた場合、躯体２Ａ、２Ｂが互いに離れる方向に動いた時は、図５（Ａ―２）に示すように、可動側壁パネル４Ｆが矢印方向にスライド移動することにより側壁パネル３が伸長するとともに、図５（Ｂ―２）に示すように、可動床パネル３Ｆが矢印方向にスライド移動することにより床パネル３が伸長し、揺れを吸収して躯体間の拡張する隙間をカバーする。
【手続補正１３】
【補正対象書類名】明細書
【補正対象項目名】００２２
【補正方法】変更
【補正の内容】
【００２２】
躯体２Ａ、２Ｂが互いに接近する方向に動いた時は、図６（Ａ―３）に示すように、可動側壁パネル４Ｆが矢印方向にスライド移動することにより側壁パネル４が短縮し、また、可動床パネル３Ｆが図５（Ｂ―２）に示す矢印方向にスライド移動することにより図６（Ｂ―３）に示すように可動床パネル３Ｆが固定床パネル３Ｍに収納され、床パネル３が短縮して揺れを吸収し、狭くなった躯体間の隙間に対応する。
【手続補正１４】
【補正対象書類名】明細書
【補正対象項目名】００２３
【補正方法】変更
【補正の内容】
【００２３】
本願発明の目地装置においては、特に図示しないが、天井スライドレール１０、１０が側壁パネル４、４の一端部４Ａ、４Ａの上端部４Ｈ、４Ｈを吊下げ支持する部位に天井スライドレール１０、１０と直交させて側壁パネル用天井スライドレールを設け、袖パネルを付設した側壁パネル４、４の上端部４Ｈ、４Ｈ以外の個所も吊下げ支持するよう構成すれば、固定側壁パネル４Ｍに対する可動側壁パネル４Ｆのスライド移動をさらに円滑に行うことができる。